(57)【要約】【課題】復元弾性をもつクッション本体からクッション体を取り外すことによって、クッション本体に刳貫穴部を形成することができ、クッション本体をベッドや布団上に配置して被介護者や患者等の使用者を背臥位から姿勢側臥位に体位交換することにより生ずる患者の背中部及び腰部とベッド面との間の三角形の空間に設置し、使用者の背中部及び腰部に当てがうことにより、被介護者や患者の側臥位姿勢の疲労を軽減することができると共に介護者の体位交換に伴う労力を軽減することができ、背中部及び腰部の骨格位置を考慮して定められた位置の刳貫穴部が存在することにより、背中部及び腰部の局部への過度の体圧負荷を抑制することができる。【解決手段】復元弾性をもつ略三角柱状のクッション本体１に刳貫穴部２を形成し、刳貫穴部に復元弾性をもつクッション体３を嵌脱自在に設けてなる。【選択図】図１
0003130703.tif 000002
【実用新案登録請求の範囲】
【請求項１】
復元弾性をもつ略三角柱状のクッション本体に刳貫穴部を形成し、該刳貫穴部に復元弾性をもつクッション体を嵌脱自在に設けてなることを特徴とするクッション。
【請求項２】
上記クッション体に刳貫小穴部を形成し、該刳貫小穴部に復元弾性をもつ小クッション体を嵌脱自在に設けてなることを特徴とする請求項１記載のクッション。
【請求項３】
上記クッション本体に複数個の小通穴を形成してなることを特徴とする請求項１又は２記載のクッション。
【考案の詳細な説明】
【技術分野】
【０００１】
本考案は例えば褥そう予防用又は褥そう患者に用いられる側臥位用のクッションに関するものである。
【背景技術】
【０００２】
従来、この種のクッションとして、略三角柱状のクッション体を空気まくら式に形成し、着座した際の人体腰部と椅子との間の三角形の空間に設置し、腰に当てがうことにより椅子に座る人の疲労を軽減する構造のものが知られている。
【特許文献１】特開平８−２５２１５０号公報
【考案の開示】
【考案が解決しようとする課題】
【０００３】
しかしながら上記従来構造の場合、長期療養生活を余儀なくされている寝たきりの高齢者や被介護者の大きな悩みである褥そうの発生を予防し、軽減するまでは必ずしも至っていないという不都合を有している。
【０００４】
すなわち、長時間寝たきり生活や背臥位姿勢を繰り返していると、下になった体の一部に持続的な圧迫が加えられたり、ベッド面等に摩擦したりすることにより、その深部の組織が血行不全に陥り、壊死創傷などの褥そうができることがあり、特に寝たきりの高齢者、麻痺があり自分で体を動かすことや、寝返りのできない人、痛みを感じない障害のある人などが起こし易く、褥そうができてしまうと、細菌感染をおこし易くなり、全身の病気を引き起こし易くなり、全身の機能低下も生ずることがあり、皮膚の発赤、皮膚のただれ、皮下脂肪組織の壊死、潰瘍へと進み、筋組織、骨、腱にまでに及ぶことがあり、このため、早い段階で兆候を見つけて対応することが必要であるとされ、しかも、褥そうは、体重がかかりやすい、腰部、背中部の部位におきやすいとされている。
【課題を解決するための手段】
【０００５】
本考案はこれらの不都合を解決することを目的とするもので、本考案のうちで、請求項１記載の考案は、復元弾性をもつ略三角柱状のクッション本体に刳貫穴部を形成し、該刳貫穴部に復元弾性をもつクッション体を嵌脱自在に設けてなることを特徴とするクッションにある。
【０００６】
又、請求項２記載の考案は、上記クッション体に刳貫小穴部を形成し、該刳貫小穴部に復元弾性をもつ小クッション体を嵌脱自在に設けてなることを特徴とするものであり、又、請求項３記載の考案は、上記クッション本体に複数個の小通穴を形成してなることを特徴とするものである。
【考案の効果】
【０００７】
本考案は上述の如く、請求項１記載の考案にあっては、復元弾性をもつクッション本体からクッション体を取り外すことによって、クッション本体に刳貫穴部を形成することができ、クッション本体をベッドや布団上に配置して被介護者や患者等の使用者を背臥位姿勢から側臥位に体位交換することにより生ずる使用者たる患者の背中部及び腰部とベッド面との間の三角形の空間に設置し、使用者の背中部及び腰部に当てがうことにより、被介護者や患者の側臥位姿勢の疲労を軽減することができると共に介護者の体位交換に伴う労力を軽減することができ、背中部及び腰部の骨格位置を考慮して定められた位置の刳貫穴部が存在することにより、背中部及び腰部の局部への過度の体圧負荷を抑制することができ、局部への刺激を緩和することもでき、かつ、刳貫穴部の存在により通気性機能を得ることができ、局部の発赤や皮膚のただれを抑制することができ、清潔性を高めることができ、褥そうの予防及び褥そうの軽減を図ることができ、長時間の側臥位姿勢によって刳貫穴部への局部のはまり込みにより血行障害を起こすおそれがあるときは、刳貫穴部にクッション体を嵌着することができ、それだけ、褥そうの予防及び褥そうの軽減を図ることができ、かつ、クッション本体の刳貫穴部にクッション体が嵌脱自在に設けられていることにより、幼児のはめ込み遊具として用いたり、刳貫穴部を覗き穴としたり、手腕の差し込み遊具として用いたりすることができ、遊戯的要素も期待することができる。
【０００８】
又、請求項２記載の考案にあっては、上記クッション体に刳貫小穴部を形成し、刳貫小穴部に復元弾性をもつ小クッション体を嵌脱自在に設けてなるから、小クッション体により握力のリハビリ練習用具として用いたり、抱きまくら、脚間の鋏具、幼児のはめ込み遊具として用いたり、刳貫穴部を覗き穴としたり、手腕の差し込み遊具として用いたりすることができ、遊戯的要素も期待することができ、又、請求項３記載の考案にあっては、クッション本体に複数個の小通穴を形成しているから、複数個の小通穴の存在により通気性機能を得ることができ、局部の発赤や皮膚のただれを抑制することができ、清潔性を高めることができ、一層、褥そうの予防及び褥そうの軽減を図ることができる。
【考案を実施するための最良の形態】
【０００９】
図１乃至図１０は本考案の実施の形態例を示し、図１乃至図８は第一形態例、図９、図１０は第二形態例である。
【００１０】
図１乃至図８の実施の第一形態例において、１はクッション本体であって、例えば、三辺が同寸の一辺が約１５〜２５ｃｍ、好ましくは２０ｃｍのおむすび型で、長さが約３０〜６０ｃｍ、好ましくは、５０ｃｍ程度の復元弾性をもつ三角柱状部材により形成され、クッション本体１の材質は、例えば、エチレンとポリプロピレンゴムからなるスポンジ状重合体が用いられ、その他、例えば、合成ゴム、天然ゴムなどの各種のゴム、ＥＶＡ樹脂（エチレン−酢酸ビニル共重合樹脂）、ポリウレタン樹脂、ポリエチレン樹脂、塩化ビニル樹脂及びポリプロピレン樹脂のいずれか１つのゴム又は樹脂、これら樹脂とゴムとの複合材料、或いはそれらの発泡体により形成されている。
【００１１】
２は刳貫穴部であって、この場合、使用者Ｋの背中部や腰部Ｍの骨格の位置を考慮して一辺に平行にして他の二辺を貫通する直径約６ｃｍの４個の穴２ａ・２ａ・２ａ・２ａ、この４個の穴２ａ・２ａ・２ａ・２ａの中央に位置して約１２ｃｍの１個の穴２ｂにより計５個の円形状の刳貫穴部２を形成している。
【００１２】
３はクッション体であって、上記クッション本体１と同様な材質及び嵌入時に端面が一辺面に面一となる長さに切欠形成され、上記４個の刳貫穴部２に嵌脱可能な直径約６ｃｍ程度の４個の円柱状部材３ａ・３ａ・３ａ・３ａ及び直径約１２ｃｍ程度の１個の円柱状部材３ｂからなる計５個のクッション体３により構成している。
【００１３】
５は刳貫小穴部であって、この場合、上記計５個のクッション体３の内の二個の円柱状部材３ａ・３ａに直径約２５ｍｍの１個の穴５ａ・５ａ、他の二個の円柱状部材３ａ・３ａに直径約２５ｍｍの３個の穴５ａ・５ａ、１個の円柱状部材３ｂに直径約４０ｍｍの二個の穴５ｂ・５ｂを形成してなる計１０の刳貫小穴部５が形成されている。
【００１４】
６は小クッション体であって、上記クッション本体１と同様な材質及び嵌入時に端面がクッション体３の外周面に面一となる長さに形成され、上記８個の刳貫小穴部５たる穴５ａ・５ａ・・に嵌脱可能な直径約２５ｍｍ程度の８個の円柱状部材６ａ・６ａ・・及び直径約４０ｍｍ程度の２個の円柱状部材６ｂ・６ｂからなる小クッション体６となっている。
【００１５】
この実施の第一形態例は上記構成であるから、復元弾性をもつクッション本体１からクッション体３を取り外すことによって、クッション本体１に五個の刳貫穴部２を形成することができ、図６、図７の如く、このクッション本体１をベッドや布団上に配置して被介護者や患者等の使用者Ｋを背臥位から姿勢側臥位に体位交換することにより生ずる使用者Ｋたる患者の背中部及び腰部とベッド面との間の三角形の空間に設置し、使用者Ｋの背中部及び腰部Ｍに当てがうことにより、被介護者や患者の側臥位姿勢の疲労を軽減することができると共に介護者の体位交換に伴う労力を軽減することができ、背中部及び腰部Ｍの骨格位置を考慮して定められた位置の刳貫穴部２が存在することにより、背中部及び腰部Ｍの局部への過度の体圧負荷を抑制することができ、局部への刺激を緩和することもでき、かつ、刳貫穴部２の存在により通気性機能を得ることができ、局部の発赤や皮膚のただれを抑制することができ、清潔性を高めることができ、褥そうの予防及び褥そうの軽減を図ることができ、長時間の側臥位姿勢によって刳貫穴部２への局部のはまり込みにより血行障害を起こすおそれがあるときは、刳貫穴部２のすべて又はいずれかにクッション体３を嵌着することができ、それだけ、褥そうの予防及び褥そうの軽減を図ることができる。
【００１６】
また、クッション本体１の刳貫穴部２にクッション体３が嵌脱自在に設けられていることにより、図７、図８の如く、握力のリハビリ練習用具、抱きまくら、脚間のはさみ具、幼児のはめ込み遊具として用いたり、刳貫穴部２を覗き穴としたり、手腕の差し込み遊具として用いたりすることができ、遊戯的要素も期待することができる。
【００１７】
また、この場合、上記クッション体３に刳貫小穴部５を形成し、刳貫小穴部５に復元弾性をもつ小クッション体６を嵌脱自在に設けてなるから、図７の如く、小クッション体６により握力のリハビリ練習用具として用いたり、脚間のはさみ具、幼児のはめ込み遊具として用いたり、刳貫小穴部５を覗き穴とする遊具として用いたりすることができ、遊戯的要素も期待することができる。
【００１８】
図９、図１０の第二形態例は別例構造を示し、この場合、上記第一形態例のクッション本体１に複数個の貫通した小通穴４を形成した構造となっている。
【００１９】
この実施の第二形態例にあっては、上記第一形態例と同様な作用効果を得ることができると共に上記複数個の小通穴４の存在により通気性機能を得ることができ、局部の発赤や皮膚のただれを抑制することができ、清潔性を高めることができ、一層、褥そうの予防及び褥そうの軽減を図ることができる。
【００２０】
尚、本考案は上記実施の形態例に限られるものではなく、例えば、クッション本体１は、おむすび三角柱状に限らず、不等辺三角形柱状等の形状を採用することができ、又、刳貫穴部２及び小通穴４、刳貫小穴部５の形状も円形穴に限らず、楕円穴形や三角穴形、星形穴等の各種形状の穴を採用し、これに合わせて、クッション体３及び小クッション体６を形成することもでき、クッション本体１、刳貫穴部２、クッション体３、小通穴４、刳貫小穴部５、小クッション体６の形態や大きさ、材質、硬度等は適宜変更して設計されるものである。
【００２１】
以上、所期の目的を充分達成することができる。
【図面の簡単な説明】
【００２２】
【図１】本考案の実施の第一形態例の分離斜視図である。
【図２】本考案の実施の第一形態例の全体斜視図である。
【図３】本考案の実施の第一形態例の側面図である。
【図４】本考案の実施の第一形態例の断面図である。
【図５】本考案の実施の第一形態例の断面図である。
【図６】本考案の実施の第一形態例の分離斜視図である。
【図７】本考案の実施の第一形態例の使用状態図である。
【図８】本考案の実施の第一形態例の使用状態説明図である。
【図９】本考案の実施の第二形態例の分離斜視図である。
【図１０】本考案の実施の第二形態例の全体斜視図である。
【符号の説明】
【００２３】
１    クッション本体
２    刳貫穴部
３    クッション体
４    小通穴
５    刳貫小穴部
６    小クッション体
【図１】
0003130703.tif 000003
【図２】
0003130703.tif 000004
【図３】
0003130703.tif 000005
【図４】
0003130703.tif 000006
【図５】
0003130703.tif 000007
【図６】
0003130703.tif 000008
【図７】
0003130703.tif 000009
【図８】
0003130703.tif 000010
【図９】
0003130703.tif 000011
【図１０】
0003130703.tif 000012